(57)【要約】      （修正有）【課題】装飾用の絵柄や着色を施すのと同時に、意匠性に優れ、鮮明な絵柄と同調した凹凸面を備える装飾体を提供する。【解決手段】凹凸面を備える装飾体１（＝箸１０）は、基材（＝箸部材１２）と、加熱発泡したインキ層１４と、筒状の熱収縮性フィルムを熱収縮してなる筒状体１６と、を含み、箸部材１２が熱収縮性フィルムの中空部１７に挿入されたのち、熱収縮性フィルムが熱収縮され、加熱発泡したインキ層１４が、筒状体１６の内側面と箸部材１２の表面との間に介在して凹凸面１８が形成される。【選択図】図１
0003137251.tif 000002
【実用新案登録請求の範囲】
【請求項１】
基材と、
加熱発泡したインキ層と、
筒状の熱収縮性フィルムを熱収縮してなる筒状体と、
を含んでなり、
前記基材が前記熱収縮性フィルムの中空部に挿入されたのち、該熱収縮性フィルムが熱収縮され、
前記加熱発泡したインキ層が、前記筒状体の内側面と前記基材の表面との間に介在して凹凸面が形成された、凹凸面を備える装飾体。
【請求項２】
前記熱収縮性フィルムの内側面に着色インキ層が形成された、請求項１に記載の凹凸面を備える装飾体。
【請求項３】
前記熱収縮性フィルムの内側面に前記加熱発泡したインキ層の前駆体の層が形成され、
前記熱収縮性フィルムの中空部に前記基材を挿入して前記熱収縮性フィルムを加熱することにより、前記熱収縮性フィルムが熱収縮し、且つ前記前駆体の層が加熱発泡して前記加熱発泡したインキ層が形成される、請求項１又は２に記載の凹凸面を備える装飾体。
【請求項４】
前記基材の表面に前記加熱発泡したインキ層の前駆体の層が形成され、
前記熱収縮性フィルムの中空部に前記基材を挿入して前記基材を前記熱収縮性フィルムと共に加熱することにより、前記熱収縮性フィルムが熱収縮し、且つ前記前駆体の層が加熱発泡して前記加熱発泡したインキ層が形成される、請求項１又は請求項２に記載の凹凸面を備える装飾体。
【請求項５】
前記筒状体の外側面に表面処理層がオーバーコートされた、請求項１から４の何れかに記載の凹凸面を備える装飾体。
【考案の詳細な説明】
【技術分野】
【０００１】
本考案は、装飾用の絵柄や着色を施すのと同時に、凹凸面を形成した装飾体に関する。
【背景技術】
【０００２】
従来から、箸、筆、食器、箸箱、筆箱、各種文具、日用品等の表面に所望の模様、絵柄、文字等の装飾を施すために、種々の熱転写フィルムや収縮フィルム等が開示されている（例えば、特許文献１参照）。特許文献１に開示された凹凸模様付与用熱転写シートは、シート基材上に、剥離インキ層、加熱収縮性の絵柄インキ層、隠蔽層、接着剤層を順次積層して成り、熱転写時の熱により絵柄インキ層が収縮すると共に、その上に存在する剥離インキ層も追従して変形して表面に凹凸形状が形成され、その結果、被転写体に凹凸模様を転写することができる。
【０００３】
【特許文献１】特許第２９１８９７１号公報
【考案の開示】
【考案が解決しようとする課題】
【０００４】
しかし、この凹凸模様付与用熱転写シートでは、絵柄インキ層自体が凹凸模様として直接認識されるものではなく、絵柄インキ層の収縮に追従して変形した剥離インキ層が凹凸模様を形成するものであるため、鮮明な凹凸模様を形成することは困難であった。
【０００５】
また、絵柄インキ層を熱収縮させるため、絵柄が歪んだり、縮んだりして、意匠性に優れた凹凸模様を形成することが困難であると共に、熱転写時の圧力や温度によって収縮率が異なるため、所望の凹凸模様、特に凸模様が絵柄と同調していない状態で形成されるという問題もあった。
【０００６】
更に、熱収縮時には絵柄インク層にひび割れが生じ易いため、隠蔽層を別途設けてこのひび割れを覆う必要もあり、絵柄の鮮明度の一層の低下を招くという問題も生じていた。
【０００７】
そこで本考案者は、上記の問題点に鑑み、装飾用の絵柄や着色を施すのと同時に、意匠性に優れ、鮮明な絵柄と同調した凹凸面を備える装飾体を提供するべく鋭意検討を重ねた結果、本考案に至ったのである。
【課題を解決するための手段】
【０００８】
即ち、本考案の凹凸面を備える装飾体の要旨とするところは、基材と、加熱発泡したインキ層と、筒状の熱収縮性フィルムを熱収縮してなる筒状体と、を含んでなり、前記基材が前記熱収縮性フィルムの中空部に挿入されたのち、該熱収縮性フィルムが熱収縮され、前記加熱発泡したインキ層が、前記筒状体の内側面と前記基材の表面との間に介在して凹凸面が形成されたことにある。
【０００９】
また、かかる凹凸面を備える装飾体において、前記熱収縮性フィルムの内側面には着色インキ層が形成され得る。
【００１０】
更に、かかる凹凸面を備える装飾体において、前記熱収縮性フィルムの内側面に前記加熱発泡したインキ層の前駆体の層が形成され、前記熱収縮性フィルムの中空部に前記基材を挿入して前記熱収縮性フィルムを加熱することにより、前記熱収縮性フィルムが熱収縮し、且つ前記前駆体の層が加熱発泡して前記加熱発泡したインキ層が形成され得る。
【００１１】
或いは、かかる凹凸面を備える装飾体において、前記基材の表面に前記加熱発泡したインキ層の前駆体の層が形成され、前記熱収縮性フィルムの中空部に前記基材を挿入して前記基材を前記熱収縮性フィルムと共に加熱することにより、前記熱収縮性フィルムが熱収縮し、且つ前記前駆体の層が加熱発泡して前記加熱発泡したインキ層が形成され得る。
【００１２】
また、かかる凹凸面を備える装飾体において、前記筒状体の外側面には表面処理層がオーバーコートされ得る。
【考案の効果】
【００１３】
本考案によると、加熱発泡したインキ層によって意匠性に優れる凹凸面を備えた装飾体を提供することができる。特に熱収縮性フィルムに着色インキ層を形成した場合には、この着色インキ層によって装飾用の絵柄や着色を施すのと同時に、加熱発泡したインキ層によって意匠性に優れ、鮮明な絵柄と同調した凹凸面を備える装飾体を提供することができる。
【００１４】
また、凹凸面が、加熱発泡したインキ層によって形成されるため、前駆体の層の厚さ、或いはインキ濃度を調整することで、所望の大きさの凸部分を容易に形成することができる。
【００１５】
更に、本考案における着色インキ層は、前駆体の層の加熱発泡による凹凸面の形成に関与していないので、鮮明な装飾効果を装飾体に付与することができる。
【考案を実施するための最良の形態】
【００１６】
以下、本考案の凹凸面を備えた装飾体の実施形態について、箸を例に挙げて図面に基づき説明する。図１（ａ）は本実施形態の凹凸面を備えた装飾体１である箸１０の正面図、図１（ｂ）は図１（ａ）におけるＡ−Ａ’断面図（横方向断面図）、図２（ａ）は図１に示した箸１０（＝凹凸面を備えた装飾体１）が得られる前段階を示した正面図、図２（ｂ）は図２（ａ）におけるＢ−Ｂ’断面図（横方向断面図）、図２（ｃ）は凹凸面１８を形成するために用いられる凹凸面形成用フィルム２０の一実施形態を示す断面図である。これらに図示された箸１０（＝凹凸面を備えた装飾体１）は、基材となる箸部材１２、加熱発泡したインキ層１４、及び筒状の熱収縮性フィルム１６ａを熱収縮してなる筒状体１６とを含んで成り、加熱発泡したインキ層１４が、筒状体１６（熱収縮する前は熱収縮性フィルム１６ａ）の内側面１５と、箸部材１２（＝基材）の表面１２ａとの間に介在して凹凸面１８が形成されている。
【００１７】
この箸１０は、図２（ａ）（ｂ）に示したように、箸部材１２が、筒状に形成された熱収縮性フィルム１６ａを含む凹凸面形成用フィルム２０の中空部１７に挿入されたのち、熱収縮性フィルム１６ａが熱収縮されることによって得られる。
【００１８】
ここで、凹凸面形成用フィルム２０は、図２（ｃ）に示したように、熱収縮性フィルム１６ａの内側面１５に形成された着色インキ層２２と、この着色インキ層２２の内側面２１の少なくとも一部に形成された加熱発泡したインキ層１４の前駆体の層１４ａとを含んで構成されている。
【００１９】
着色インキ層２２は、樹脂バインダーに、公知の染料、顔料から適宜選択された着色剤を添加して得られる着色インキによって、所望の文字や絵柄、模様等のパターンを印刷することにより、熱収縮性フィルム１６ａの内側面１５に形成されるが、当該着色インキには、必要に応じて可塑剤、安定剤、その他種々の添加剤が添加されてもよい。樹脂バインダーの主たる樹脂成分としては、ポリエステル樹脂、アクリル樹脂、スチレン樹脂、アミド樹脂、塩素化ポリプロピレン、エチレン・酢酸ビニル共重合体、セルロース誘導体、塩化ゴム等が挙げられる。また、着色インキ層２２の厚さは、乾燥状態で２μｍ〜１０μｍ程度が好ましい。更に、熱収縮性フィルム１６ａの内側面１５に着色インキ層２２を形成する方法としては、オフセット印刷、グラビア印刷、スクリーン印刷、ＵＶ印刷等が挙げられる。なお、熱収縮性フィルム１６ａの内側面１５において、着色インキ層２２が必ずしも形成される必要はないが、着色インキ層２２を形成することによって、本考案の凹凸面を備える装飾体、即ち本実施形態における箸１０に、装飾用の絵柄や着色を容易に施すことができると共に、後述するように、加熱発泡したインキ層１４と鮮明な絵柄とが同調した凹凸面１８を備える装飾体１（＝箸１０）を提供することができるため、好ましい。
【００２０】
加熱発泡したインキ層１４を形成するための前駆体の層１４ａは、メラミン樹脂、アクリル樹脂、エチルセルロース、エチルヒドロキシエチルセルロース、セルロースアセテートプロピオネート等のセルロース誘導体、メタクリル酸ブチル樹脂、ブチラール樹脂等に、公知の無機発泡剤、有機発泡剤、更には、炭化水素を内包する熱膨張性マイクロカプセル等から適宜選択して混合した加熱発泡性インキによって、着色インキ層２２の内側面２１の少なくとも一部に形成される。当該加熱発泡性インキには、必要に応じて可塑剤、安定剤、その他種々の添加剤が添加されてもよい。また、着色インキ層２２の内側面２１に前駆体の層１４ａを形成する方法としては、オフセット印刷、グラビア印刷、スクリーン印刷等が挙げられる。
【００２１】
本実施形態の箸１０を得る際には、以上の構成から成る凹凸面形成用フィルム２０を筒状に形成し、上述のように、凹凸面形成用フィルム２０の中空部１７に箸部材１２を挿入して凹凸面形成用フィルム２０を加熱する。すると、凹凸面形成用フィルム２０に含まれる熱収縮性フィルム１６ａが熱収縮して筒状体１６が形成されると共に、前駆体の層１４ａが加熱発泡して加熱発泡したインキ層１４が形成され、その結果、加熱発泡したインキ層１４が、筒状体１６の内側面１５と箸部材１２の表面１２ａとの間に介在して、凹凸面１８が形成された箸１０が得られる。
【００２２】
なお、熱収縮性フィルム１６ａとしては、例えば、ポリエチレンテレフタレート、ポリプロピレン、ポリスチレン、ポリエステル、ポリカーボネート、ポリ塩化ビニリデン、ナイロン、セロハン等からなる透明または半透明のフィルムが挙げられるが、熱収縮性を備えたフィルムであれば特に限定されない。また、これらは単体で使用されてもよく、或いは複合体として使用されてもよい。更に、熱収縮性フィルム１６ａの厚さは３０〜５０μｍ程度が好ましい。
【００２３】
以上の構成から成る本実施形態の箸１０によると、着色インキ層２２によって装飾用の絵柄や着色を施すのと同時に、加熱発泡したインキ層１４によって意匠性に優れ、鮮明な絵柄と同調した凹凸面１８を備える装飾体１を提供することができる。特に、凹凸面１８が、加熱発泡したインキ層１４によって形成されるため、前駆体の層１４ａの厚さ、或いは加熱発泡性インキの濃度を調整することで、所望の大きさの凸部分を容易に形成することができる。
【００２４】
また、本実施形態における着色インキ層２２は、前駆体の層１４ａの加熱発泡による凹凸面１８の形成に関与していないので、鮮明な装飾効果を装飾体１に付与することができる。
【００２５】
以上に例示した本考案の実施形態は、本考案の技術的思想を実質的に限定するものと解してはならない。例えば、図３に示した凹凸面形成用フィルム３０のように、熱収縮性フィルム１６ａの内側面１５の少なくとも一部に、加熱発泡したインキ層１４の前駆体の層１４ａが形成され、この前駆体の層１４ａを覆うようにして、熱収縮性フィルム１６ａの内側面１５に着色インキ層２２が形成された態様であってもよい。この凹凸面形成用フィルム３０によっても、図１に示した箸１０（凹凸面１８を備えた装飾体１）を得ることができる。
【００２６】
また、本考案の他の実施形態としては、図４に示したように、箸部材１２（＝基材）の表面１２ａに加熱発泡したインキ層１４の前駆体の層１４ａを形成し、この前駆体の層１４ａが形成された箸部材１２を、筒状に形成された着色インキ層２２を備える熱収縮性フィルム１６ａの中空部１７に挿入した後、箸部材１２と共に熱収縮性フィルム１６ａを加熱する。すると、熱収縮性フィルム１６ａが熱収縮して筒状体１６が形成されると共に、前駆体の層１４ａが加熱発泡して加熱発泡したインキ層１４が形成され、その結果、加熱発泡したインキ層１４が、筒状体１６の内側面１５と箸部材１２の表面１２ａとの間に介在して、図１に示した凹凸面１８が形成された箸１０が得られる。
【００２７】
以上、本考案の実施形態について詳述したが、本考案の凹凸面を備える装飾体は箸に限定されず、筆、枹等の棒状をなす文具や日用品、食器等、が、本考案における基材として適用できる。或いは、箸箱、筆箱等の箱体や筒状をなす文具、日用品、食器等も基材として適用できる。
【００２８】
また、本考案において、熱収縮性フィルムが熱収縮してなる筒状体の外側面、即ち凹凸面が形成された側に表面処理層がオーバーコートされてもよく、本考案は、その要旨を逸脱しない範囲で、当業者の創意と工夫により、適宜に改良、変更又は追加をしながら実施されるものである。
【図面の簡単な説明】
【００２９】
【図１】（ａ）は本考案の凹凸面を備えた装飾体の一実施形態である箸の正面図、（ｂ）は（ａ）におけるＡ−Ａ’断面図である。
【図２】（ａ）は図１に示した箸が得られる前段階を示した正面図、（ｂ）は（ａ）におけるＢ−Ｂ’断面図、（ｃ）は凹凸面を形成するために用いられる凹凸面形成用フィルムの一実施形態を示す断面図である。
【図３】凹凸面形成用フィルムの他の実施形態を示す断面図である。
【図４】本考案の凹凸面を備えた装飾体が得られる前段階を示した他の実施形態に係る断面図である。
【符号の説明】
【００３０】
１：凹凸面を備えた装飾体
１０：箸
１２：箸部材（基材）
１４：加熱発泡したインキ層
１４ａ：前駆体の層
１５：筒状体（熱収縮性フィルム）の内側面
１６：筒状体
１６ａ：熱収縮性フィルム
１７：中空部
１８：凹凸面
２０、３０：凹凸面形成用フィルム
２２：着色インキ層
【図１】
0003137251.tif 000003
【図２】
0003137251.tif 000004
【図３】
0003137251.tif 000005
【図４】
0003137251.tif 000006